(57)【要約】【課題】  本発明は、日常生活においてリサイクルを行うために必要な、ペットボトルのラベルはがし、ガラス瓶などのキャップ外し、牛乳パック容器の切り開く作業を安全，かつ、簡単に行うための分別補助器具を提供する。【解決手段】  本体には、密着したラベルをはがすことができる薄い形状の先端部（２）を有したラベルはがし部（１）と、ガラス瓶口に差し込んでキャップに引っかける尖状の先端部（４）と瓶口に当てて支点としてキャップを外すことのできる波線形の根元部（５）を持ち合わせたキャップ外し部（３）の、二種類の機能を持った手指で開閉自在な２枚の羽根状部分が向かい合わせで設置され、さらに、羽根状部分の元部分がＶ型で、その谷部に、刃（８）を内在した鍵状のカッター（７）が設置されている牛乳パックカッター部の３つの機能が集約されていることを特徴とする分別補助器具。【選択図】図１
2018058636.tif 000002
【特許請求の範囲】
【請求項１】
本体には、密着したラベルをはがすことができる薄い形状の先端部（２）を有したラベルはがし部（１）と、ガラス瓶口に差し込んでキャップに引っかける尖状の先端部（４）と瓶口に当てて支点としてキャップを外すことのできる波線形の根元部（５）を持ち合わせたキャップ外し部（３）の、二種類の機能を持った手指で開閉自在な２枚の羽根状部分が向かい合わせで設置され、さらに、羽根状部分の元部分がＶ型で、その谷部に、刃（８）を内在した鍵状のカッター（７）が設置されている牛乳パックカッター部の３つの機能が集約されていることを特徴とする分別補助器具。
【発明の詳細な説明】
【技術分野】
【０００１】  本発明は、日常生活においてリサイクルを行うために必要な，ペットボトルのラベルはがし、ガラス瓶などのキャップ外し、牛乳パック容器の切り開きを、安全、かつ、簡単に行うための分別補助器具に関するものである。
【背景技術】
【０００２】  従来、ペットボトルのラベルをはがす補助器具として指にはめるものがあった（特許文献１参照）。
また、ガラス瓶の口に上方から器具を被せ、キャップに引っかけて外すものがあった（特許文献２参照）。
さらに、牛乳パック容器の角縁に接して切り開くカッター器具があった（特許文献３参照）。
【先行技術文献】
【特許文献】
【０００３】
【特許文献１】  特開２００８−９４４８７号公報
【特許文献２】  特開２０１０−２４７８５３号公報
【特許文献３】  実開平７−３７０４８号公報
【発明の概要】
【発明が解決しようとする課題】
【０００４】  そのため、次のような問題点があった。
（イ）ペットボトルのラベルはがし器具においては、爪にはめて使用する器具なので、指    の形状は人それぞれで多様である。
同一の器具を複数人での使用が難しい。
また、装飾した爪での使用は困難であった。
（ロ）キャップ外し具においては、普及されているガラス瓶のキャップやキャップ受けの    瓶への設置部分が多様なので被せる器具では対応できないものもあった。
（ハ）牛乳パックの容器切開用カッターにおいては、切断刃部が突設されているので、手    指が触れてけがをする危険性がある。
（ニ）地方自治体によって差はあるが、分別する物の種類が増え、それらの分別は、各家    庭に委ねられてきている。
各家庭で対応するに当たり、分別を補助する器具も増えることが必至である。
本発明は，これらの問題点を解決するためになされたものである。
【課題を解決するための手段】
【０００５】  本体には，密着したラベルをはがすことができる薄い形状の先端部（２）を有したラベルはがし部（１）と、ガラス瓶口に差し込んでキャップに引っかける尖状の先端部（４）と瓶口に当てて支点としてキャップを外すことのできる波線形の根元部（５）を持ち合わせたキャップ外し部（３）の、二種類の機能を持った手指で開閉自在な２枚の羽根状部分が向かい合わせで設置され、さらに、羽根状部分の元部分がＶ型で、その谷部に、刃（８）を内在した鍵状のカッター（７）が設置されている牛乳パックカッター部の３つの機能が集約されている。
以上を特徴とする分別補助器具である。
【発明の効果】
【０００６】（イ）手指で器具を持って使用する形状なので、同一のものを多くの人々が使用できる。
（ロ）瓶の口の中に差し込んで内側からキャップに引っかけて外す形状にするとほとんど    のものに対応できる。
（ハ）鍵型の内部に刃が内在されたカッターで、切断部分もＶ型の谷部なので直接刃に手    指が触れることはないので安全性が高い。
（ニ）分別頻度の高い作業に必要な３つの機能を集約して一つの器具とした。
【図面の簡単な説明】
【０００７】
【図１】  本発明の全体斜視図である。
【図２】  本発明の要部の斜視図である。
【図３】  本発明の要部の斜視図である。
【図４】  本発明の他の実施図である。
【図５】  本発明の他の実施図である。
【図６】  本発明の他の実施図である。
【発明を実施するための形態】
【０００８】  以下、本発明の実施の形態について説明する。
本体には２枚同型の羽根状部分が向かい合わせで設置されている。
その羽根状部分は２種類の形状に分かれ、それぞれの機能を持っている。
一つ目、ペットボトルなどのラベルをはがすことのできる機能を持ったラベルはがし部（１）。
先端部（２）は薄くなっているので、密着しているラベルとペットボトル本体との隙間に１枚を差し込み、はがすことができる。
さらに、２枚ではさんではぎ取ると作業が容易である。
二つ目の機能、ガラス瓶などのキャップやキャップ受けを外すことのできる機能を持ったキャップ外し部（３）。
先端部（４）は尖状になっており、ガラス瓶の口に差し込んで内側からキャップなどに引っかける。
瓶口に当たる根元部分（５）が波線状で固定できることから支点として活用すると容易にキャップやキャップ受けを外すことができる。
【０００９】  ２枚の羽根状部分の元部分には牛乳パック容器を切り開く、牛乳パックカッター部（６）が設置されている。
元部分はＶ型の形状で、容器の角縁に沿って動かすことができる。
Ｖ型の谷部分には、鍵状で刃（８）が内側に設置されているカッター（７）が設置されている。
刃（８）が奥まった部分にあるので直接指が触れることはほとんどない。
また、この元部分のＶ型の形状は、２枚の羽根状部分が開閉するためのバネの役割も果たしている。
本発明は以上のような構成である。
これを使用するときは、手で包み込むようにしてつかんで使用する。
全体的に丸みを帯びた形をしているので手になじみやすい。
指先の弱くなった高齢者や爪に装飾を施した女性にも手軽に分別作業で役立てることができると考える。
特にカッターなどの刃物は、家庭において、特に取り扱いに気をつけ、子どもに触らせないなどの配慮を必要とするものである。
より安全性の高い器具が不可欠である。
さらに、各家庭で分別する頻度が高い三種類の補助器具を一つに集約したので家事の合間に分別作業が効率よく行えるものと考える。
【符号の説明】
【００１０】    １  ラベルはがし部
２  ラベルはがし先端部
３  キャップ外し部
４  キャップ外し先端部
５  キャップ外し根元部
６  牛乳パックカッター部
７  鍵状カッター
８  刃
【図１】
2018058636.tif 000003
【図２】
2018058636.tif 000004
【図３】
2018058636.tif 000005
【図４】
2018058636.tif 000006
【図５】
2018058636.tif 000007
【図６】
2018058636.tif 000008